(57)【要約】【課題】記録する楽曲の圧縮率の設定を容易化する。【解決手段】制御部８は、操作部１３を介して、ユーザから、ＣＤ−ＤＡディスク１５から読み出して外部メモリ装置１６に記録する楽曲の選択と、記録に用いる圧縮率の設定とを受け付ける。制御部８は、外部メモリ装置１６の空き容量を参照し、受け付けた圧縮率で選択された楽曲の全てを外部メモリ装置１６に記録できるかどうかを判定し、記録できない場合には、選択された楽曲の全てを外部メモリ装置１６に記録できる圧縮率を算出しユーザに提示する。そして、ユーザから提示した圧縮率による記録を指示されたならば、ＣＤ再生部にＣＤ−ＤＡディスク１５から選択された楽曲を読み出させ、オーディオコーダ６に算出した圧縮率による楽曲の圧縮符号化を行わせ、圧縮符号化された楽曲を外部メモリ装置１６に記録する。【選択図】図１
2004038067.tif 000002
【特許請求の範囲】
【請求項１】
オーディオ情報を圧縮符号化する、異なる複数の圧縮率でオーディオ情報を圧縮符号化可能な圧縮符号化手段を備え、圧縮符号化手段が圧縮符号化したオーディオ情報を記録媒体に記録するオーディオ記録装置であって、
ユーザから、記録する１または複数のオーディオ情報の指定を受け付ける記録対象受付手段と、
前記記録媒体の、前記圧縮符号化したオーディオ情報の記録に用いることのできる残容量を取得する残容量取得手段と、
前記ユーザ設定受付手段が指定を受け付けたオーディオ情報の情報量を取得する記録情報量取得手段と、
前記記録情報量取得手段が取得した情報量と、前記残容量取得手段が算出した残容量とより、前記記録対象受付手段が指定を受け付けたオーディオ情報の全ての圧縮符号化に適用することにより、前記記録対象受付手段が指定を受け付けたオーディオ情報の全てを、前記記録媒体に記録することができるようになる、前記圧縮符号化手段が対応する圧縮率のうちの最も低い圧縮率を算出する圧縮率算出手段と、
前記ユーザ設定受付手段が指定を受け付けた各オーディオ情報を前記圧縮符号化手段に供給し、前記圧縮符号化手段に前記記録対象受付手段が指定を受け付けたオーディオ情報の全てを、前記圧縮率算出手段が算出した圧縮率によって圧縮符号化させ、圧縮符号化されたオーディオ情報を前記記録媒体に記録する記録制御手段とを有することを特徴とするオーディオ記録装置。
【請求項２】
請求項１記載のオーディオ記録装置であって、
ユーザから、オーディオ情報を圧縮符号化する際に適用する圧縮率の指定を受け付ける圧縮率指定受付手段と、
前記記録情報量取得手段が取得した情報量と、前記圧縮率指定受付手段が指定を受け付けた圧縮率と、前記残容量取得手段が算出した残容量とより、前記ユーザ設定受付手段が指定を受け付けたオーディオ情報の全てを、前記ユーザ設定受付手段が指定を受け付けた圧縮率で圧縮符号化して前記記録媒体に記録しきれるかどうかを判定する記録可否判定手段とを有し、
前記圧縮率算出手段は、前記記録可否判定手段が、前記ユーザ設定受付手段が指定を受け付けたオーディオ情報の全てを記録しきれないと判定した場合に、前記圧縮率を算出を行い、
前記記録制御手段は、
前記記録可否判定手段が、前記ユーザ設定受付手段が指定を受け付けたオーディオ情報の全てを記録しきれないと判定したときに、または、前記ユーザ設定受付手段が指定を受け付けたオーディオ情報の全てを記録しきれないと判定したときであってユーザから前記圧縮率算出手段が算出した圧縮率による記録を指示されたときに、前記ユーザ設定受付手段が指定を受け付けた各オーディオ情報を前記圧縮符号化手段に供給し、前記圧縮率算出手段が算出した圧縮率によって、前記圧縮符号化手段に前記ユーザ設定受付手段が指定を受け付けたオーディオ情報の全てを圧縮符号化させ、圧縮符号化されたオーディオ情報を前記記録媒体に記録し、
前記記録可否判定手段が、前記ユーザ設定受付手段が指定を受け付けたオーディオ情報の全てを記録しきれると判定したときには、前記ユーザ設定受付手段が指定を受け付けた各オーディオ情報を前記圧縮符号化手段に供給し、前記圧縮率指定受付手段が指定を受け付けた圧縮率によって、前記圧縮符号化手段に前記ユーザ設定受付手段が指定を受け付けたオーディオ情報の全てを圧縮符号化させ、圧縮符号化されたオーディオ情報を前記記録媒体に記録することを特徴とするオーディオ記録装置。
【請求項３】
オーディオ情報を圧縮符号化する、異なる複数の圧縮率でオーディオ情報を圧縮符号化可能な圧縮符号化手段を備え、圧縮符号化手段が圧縮符号化したオーディオ情報を記録媒体に記録するオーディオ記録装置であって、
ユーザから、記録する複数のオーディオ情報の指定を受け付ける記録対象受付手段と、
前記記録媒体の、前記圧縮符号化したオーディオ情報の記録に用いることのできる残容量を取得する残容量取得手段と、
前記記録対象受付手段が指定を受け付けた各オーディオ情報の情報量を取得する記録情報量取得手段と、
ユーザから、前記記録対象受付手段が指定を受け付けたオーディオ情報のうちの一部のオーディオ情報について当該オーディオ情報を圧縮符号化する際に適用する圧縮率の指定を受け付ける圧縮率指定受付手段と、
前記記録情報量取得手段が取得した各オーディオ情報の情報量と、前記残容量取得手段が算出した残容量と、前記圧縮率指定受付手段が指定を受け付けた各オーディオ情報の圧縮率とより、前記記録対象受付手段が指定を受け付けたオーディオ情報のうちの前記圧縮率指定受付手段が圧縮率の指定を受け付けなかったオーディオ情報の圧縮符号化に適用することにより、前記圧縮率指定受付手段が圧縮率の指定を受け付けたオーディオ情報については指定された圧縮率で圧縮符号化して前記記録媒体に記録することができ、かつ、前記記録対象受付手段が指定を受け付けた全てのオーディオ情報を記録媒体に記録することができるようになる、前記圧縮符号化手段が対応する圧縮率のうちの最も低い圧縮率を算出する圧縮率算出手段と、
前記ユーザ設定受付手段が指定を受け付けた各オーディオ情報を前記圧縮符号化手段に供給し、前記圧縮率指定受付手段が圧縮率の指定を受け付けたオーディオ情報については当該指定された圧縮率で、前記記録対象受付手段が指定を受け付けたオーディオ情報のうちの前記圧縮率指定受付手段が圧縮率の指定を受け付けなかったオーディオ情報については圧縮率算出手段が算出した圧縮率で、前記圧縮符号化手段に各オーディオ情報を圧縮符号化させ、圧縮符号化されたオーディオ情報を前記記録媒体に記録する記録制御手段とを有することを特徴とするオーディオ記録装置。
【請求項４】
オーディオ情報を圧縮符号化する、異なる複数の圧縮率でオーディオ情報を圧縮符号化可能な圧縮符号化手段を備え、圧縮符号化手段が圧縮符号化したオーディオ情報を記録媒体に記録するオーディオ記録装置であって、
ユーザから、記録する複数のオーディオ情報の指定を受け付ける記録対象受付手段と、
前記記録媒体の、前記圧縮符号化したオーディオ情報の記録に用いることのできる残容量を取得する残容量取得手段と、
前記記録対象受付手段が指定を受け付けた各オーディオ情報の情報量を取得する記録情報量取得手段と、
ユーザから、前記記録対象受付手段が指定を受け付けたオーディオ情報の記録品質の優先順位の指定を受け付ける優先順位指定受付手段と、
前記記録情報量取得手段が取得した各オーディオ情報の情報量と、前記残容量取得手段が算出した残容量と、前記圧縮率指定受付手段が指定を受け付けた各オーディオ情報の圧縮率と、前記優先順位指定受付手段が受け付けた各オーディオ情報の優先順位とより、各オーディオ情報の圧縮符号化に各々適用することにより、前記記録対象受付手段が指定を受け付けた全てのオーディオ情報を記録媒体に記録することができるようになる、各オーディオ情報の圧縮率を、より優先順位の高いオーディオ情報については、より優先順位の低いオーディオ情報の圧縮符号化に適用される圧縮率以上、圧縮率の低い圧縮率がその圧縮符号化に適用され、かつ、少なくとも、優先順位の最も低いオーディオ情報の圧縮符号化に適用される圧縮率と優先順位の最も高いオーディオ情報の圧縮符号化に適用される圧縮率とが異なるように、前記圧縮符号化手段が対応する圧縮率のうちから選定する圧縮率算出手段と、
前記ユーザ設定受付手段が指定を受け付けた各オーディオ情報を前記圧縮符号化手段に供給し、前記記録対象受付手段が指定を受け付けた各オーディオ情報を、各々当該オーディオ情報について前記圧縮率算出手段が算出した圧縮率で、前記圧縮符号化手段に圧縮符号化させ、圧縮符号化されたオーディオ情報を前記記録媒体に記録する記録制御手段とを有することを特徴とするオーディオ記録装置。
【請求項５】
請求項１、２、３または４記載のオーディオ記録装置であって、
前記記録媒体は、当該オーディオ記録装置に脱着可能に装着される過般型の記録媒体であることを特徴とするオーディオ記録装置。
【請求項６】
請求項１、２、３、４または５記載のオーディオ記録装置であって、
オーディオ情報が記録された、前記記録媒体と異なる他の記録媒体から当該オーディオ情報を再生する再生手段を有し、
記録対象受付手段は、前記他の記録媒体に記録されたオーディオ情報のうちから、前記記録する１または複数のオーディオ情報の指定を受け付け、
前記記録情報量取得手段は、前記他の記録媒体に記録された、当該他の記録媒体に記録された各オーディオ情報の再生時間を表す情報に基づいて、前記ユーザ設定受付手段が指定を受け付けたオーディオ情報の情報量を取得することを特徴とするオーディオ記録装置。
【請求項７】
オーディオ情報を圧縮符号化し、情報を記録媒体に記録するオーディオ記録方法であって、
ユーザから、記録する１または複数のオーディオ情報の指定を受け付けるステップと、
前記記録媒体の、前記圧縮符号化したオーディオ情報の記録に用いることのできる残容量を取得するステップと、
前記ユーザ設定受付手段が指定を受け付けたオーディオ情報の情報量を取得するステップと、
取得した情報量と、算出した残容量とより、前記指定を受け付けたオーディオ情報の全ての圧縮符号化に適用することにより、前記指定を受け付けたオーディオ情報の全てを、前記記録媒体に記録することができるようになる、オーディオ情報の圧縮符号化に適用可能な圧縮率のうちの、最も低い圧縮率を算出するステップと、
前記指定を受け付けた各オーディオ情報を算出した圧縮率によって圧縮符号化し、圧縮符号化したオーディオ情報を前記記録媒体に記録するステップとを有することを特徴とするオーディオ記録方法。
【請求項８】
オーディオ情報を圧縮符号化し、情報を記録媒体に記録するオーディオ記録方法であって、
ユーザから、記録する１または複数のオーディオ情報の指定と、記録するオーディオ情報の圧縮符号化に適用する圧縮率の指定とを受け付けるステップと、
前記記録媒体の、前記圧縮符号化したオーディオ情報の記録に用いることのできる残容量を取得するステップと、
前記ユーザ設定受付手段が指定を受け付けたオーディオ情報の情報量を取得するステップと、
取得した情報量と、指定を受け付けた圧縮率と、算出した残容量とより、前記指定を受け付けたオーディオ情報の全てを、前記指定を受け付けた圧縮率で圧縮符号化して前記記録媒体に記録しきれるかどうかを判定するステップと、
前記記録媒体に記録しきれると判定された場合に、前記指定を受け付けた各オーディオ情報を前記指定を受け付けた圧縮率によって圧縮符号化し、圧縮符号化したオーディオ情報を前記記録媒体に記録するステップと
前記記録媒体に記録しきれないと判定された場合に、取得した情報量と、算出した残容量とより、前記指定を受け付けたオーディオ情報の全ての圧縮符号化に適用することにより、前記指定を受け付けたオーディオ情報の全てを、前記記録媒体に記録することができるようになる、オーディオ情報の圧縮符号化に適用可能な圧縮率のうちの、最も低い圧縮率を算出し、ユーザに算出した圧縮率を提示し、提示した圧縮率による記録の指示をユーザから受付け、提示した圧縮率による記録の指示をユーザから受付けた場合に、前記指定を受け付けた各オーディオ情報を算出した圧縮率によって圧縮符号化し、圧縮符号化したオーディオ情報を前記記録媒体に記録するステップとを有することを特徴とするオーディオ記録方法。
【請求項９】
コンピュータによって読み取られ実行されるコンピュータプログラムであって、
前記プログラムは、前記コンピュータに、
ユーザから、記録する１または複数のオーディオ情報の指定を受け付けるステップと、
前記記録媒体の、前記圧縮符号化したオーディオ情報の記録に用いることのできる残容量を取得するステップと、
前記ユーザ設定受付手段が指定を受け付けたオーディオ情報の情報量を取得するステップと、
取得した情報量と、算出した残容量とより、前記指定を受け付けたオーディオ情報の全ての圧縮符号化に適用することにより、前記指定を受け付けたオーディオ情報の全てを、前記記録媒体に記録することができるようになる、オーディオ情報の圧縮符号化に適用可能な圧縮率のうちの最も低い圧縮率を算出するステップと、
前記指定を受け付けた各オーディオ情報を算出した圧縮率によって圧縮符号化し、圧縮符号化したオーディオ情報を前記記録媒体に記録するステップとを実行させることを特徴とするコンピュータプログラム。
【発明の詳細な説明】
【０００１】
【発明の属する技術分野】
本発明は、楽曲等のオーディオ情報を圧縮符号化して記録媒体に記録するオーディオ記録装置において、オーディオ情報の記録に用いる圧縮率の設定を支援する技術に関するものである。
【０００２】
【従来の技術】
楽曲等のオーディオ情報を圧縮符号化して記録媒体に記録するオーディオ記録装置としては、ＣＤ−ＤＡディスクやその他の楽曲データが記録された記録媒体をソース記録媒体として、ソース記録媒体より読み出した楽曲データを、圧縮符号化して、他の記録媒体であるターゲット記録媒体に記録するオーディオ記録装置が知られている。また、このようなターゲット記録媒体としては、カード形状やスティック形状の半導体記録素子を用いた過般型のメモリ装置や、光ディスクや光磁気ディスクや磁気ディスクなどのディスク型の記録媒体などが使用されている。
【０００３】
また、このようなオーディオ記録装置において、ソース記録媒体に記録された楽曲データのうちからターゲット記録媒体に記録する楽曲データの指定と、楽曲データをどのような圧縮率で圧縮符号化してターゲット記録媒体へ記録するかの指定を受付け、指定された各楽曲データをソース記録媒体より読み出して指定された圧縮率で圧縮符号化してターゲット記録媒体に記録する技術も知られている。
【０００４】
【発明が解決しようとする課題】
さて、前述したターゲット記録媒体に記録する楽曲データと楽曲の記録に用いる圧縮率をユーザ指定に応じて決定する技術によれば、ユーザが指定した楽曲データのデータ量とユーザが指定した楽曲データの圧縮率とターゲット記録媒体の未使用記録容量（空き容量）とに依存して、ユーザが指定した楽曲データの全てをターゲット記録媒体に記録できるかどうかが定まることになる。
【０００５】
換言すれば、楽曲データの記録を行う場合には、ユーザ自身が、ターゲット記録媒体に記録する楽曲データとその圧縮率を、楽曲データのデータ量と圧縮率とターゲット記録媒体の空き容量との関係を考慮して、指定した全ての楽曲データがターゲット記録媒体に記録できるように定めなければならず、適正にこれを定めることができなかった場合には、指定した楽曲データ一部しかターゲット記録媒体に記録されないといった事象が生じることになる。
【０００６】
そして、このようなターゲット記録媒体の空き容量に応じた記録する楽曲データとその圧縮率の適正な決定は、これを直感的に行うことは通常困難であり、ユーザ自身がある程度の計算を行うことが必要となる。すなわち、従来のオーディオ記録装置では、記録する楽曲データとその圧縮率の選定を行う作業は、ユーザにとって負担が大きいものであった。
【０００７】
そこで、本発明は、オーディオ情報を圧縮符号化して記録媒体に記録するオーディオ記録装置において、ユーザの、オーディオ情報の記録に用いる圧縮率の設定を支援することを課題とする。
【０００８】
【課題を解決するための手段】
前記課題達成のために、本発明は、たとえば、オーディオ情報を圧縮符号化する、異なる複数の圧縮率でオーディオ情報を圧縮符号化可能な圧縮符号化手段を備え、圧縮符号化手段が圧縮符号化したオーディオ情報を記録媒体に記録するオーディオ記録装置を、ユーザから、記録する１または複数のオーディオ情報の指定を受け付ける記録対象受付手段と、前記記録媒体の、前記圧縮符号化したオーディオ情報の記録に用いることのできる残容量を取得する残容量取得手段と、前記ユーザ設定受付手段が指定を受け付けたオーディオ情報の情報量を取得する記録情報量取得手段と、前記記録情報量取得手段が取得した情報量と、前記残容量取得手段が算出した残容量とより、前記記録対象受付手段が指定を受け付けたオーディオ情報の全ての圧縮符号化に適用することにより、前記記録対象受付手段が指定を受け付けたオーディオ情報の全てを、前記記録媒体に記録することができるようになる、前記圧縮符号化手段が対応する圧縮率のうちの最も低い圧縮率を算出する圧縮率算出手段と、前記ユーザ設定受付手段が指定を受け付けた各オーディオ情報を前記圧縮符号化手段に供給し、前記圧縮符号化手段に前記記録対象受付手段が指定を受け付けたオーディオ情報の全てを、前記圧縮率算出手段が算出した圧縮率によって圧縮符号化させ、圧縮符号化されたオーディオ情報を前記記録媒体に記録する記録制御手段とより構成したものである。
【０００９】
このようなオーディオ記録装置によれば、ユーザから指定されたオーディオ情報の全てを記録媒体に記録できる最も記録品質の良い圧縮率を自動的に算出し、算出した圧縮率によってオーディオ情報を記録媒体に記録することができる。したがって、ユーザは、記録するオーディオ情報を指定するだけで良く、指定したオーディオ情報の全てをできるだけ良い記録品質で記録媒体に記録できるように圧縮率を選定する作業を行う必要がなくなる。
【００１０】
また、本発明は、前記課題達成のために、本発明が提供する他のオーディオ記録装置は、ユーザから、記録する複数のオーディオ情報の指定を受け付ける記録対象受付手段と、前記記録媒体の、前記圧縮符号化したオーディオ情報の記録に用いることのできる残容量を取得する残容量取得手段と、前記記録対象受付手段が指定を受け付けた各オーディオ情報の情報量を取得する記録情報量取得手段と、ユーザから、前記記録対象受付手段が指定を受け付けたオーディオ情報のうちの一部のオーディオ情報について当該オーディオ情報を圧縮符号化する際に適用する圧縮率の指定を受け付ける圧縮率指定受付手段と、前記記録情報量取得手段が取得した各オーディオ情報の情報量と、前記残容量取得手段が算出した残容量と、前記圧縮率指定受付手段が指定を受け付けた各オーディオ情報の圧縮率とより、前記記録対象受付手段が指定を受け付けたオーディオ情報のうちの前記圧縮率指定受付手段が圧縮率の指定を受け付けなかったオーディオ情報の圧縮符号化に適用することにより、前記圧縮率指定受付手段が圧縮率の指定を受け付けたオーディオ情報については指定された圧縮率で圧縮符号化して前記記録媒体に記録することができ、かつ、前記記録対象受付手段が指定を受け付けた全てのオーディオ情報を記録媒体に記録することができるようになる、前記圧縮符号化手段が対応する圧縮率のうちの最も低い圧縮率を算出する圧縮率算出手段と、前記ユーザ設定受付手段が指定を受け付けた各オーディオ情報を前記圧縮符号化手段に供給し、前記圧縮率指定受付手段が圧縮率の指定を受け付けたオーディオ情報については当該指定された圧縮率で、前記記録対象受付手段が指定を受け付けたオーディオ情報のうちの前記圧縮率指定受付手段が圧縮率の指定を受け付けなかったオーディオ情報については圧縮率算出手段が算出した圧縮率で、前記圧縮符号化手段に各オーディオ情報を圧縮符号化させ、圧縮符号化されたオーディオ情報を前記記録媒体に記録する記録制御手段とを備えたものである。
【００１１】
このようなオーディオ記録装置によれば、ユーザは記録を指定したオーディオ情報のうち、圧縮率を固定したいオーディオ情報の圧縮率を設定するだけで、当該オーディオ情報を設定した圧縮率で記録されると共に、残りのオーディオ情報の全てが、可能な限り高い記録品質となるように選定された圧縮率で圧縮符号化されて記録されることになる。よって、ユーザは、高品質な記録が必要となるオーディオ情報を含む複数のオーディオ記録情報の全てを記録媒体に記録したい場合に、高品質な記録が必要となるオーディオ情報についてのみ、その品質を実現する圧縮率を設定すれば良く、残りのオーディオ情報については個々に圧縮率を選定する必要がない。
【００１２】
また、前記課題達成のために、本発明が提供するさらに他のオーディオ記録装置は、ユーザから、記録する複数のオーディオ情報の指定を受け付ける記録対象受付手段と、前記記録媒体の、前記圧縮符号化したオーディオ情報の記録に用いることのできる残容量を取得する残容量取得手段と、前記記録対象受付手段が指定を受け付けた各オーディオ情報の情報量を取得する記録情報量取得手段と、ユーザから、前記記録対象受付手段が指定を受け付けたオーディオ情報の記録品質の優先順位の指定を受け付ける優先順位指定受付手段と、前記記録情報量取得手段が取得した各オーディオ情報の情報量と、前記残容量取得手段が算出した残容量と、前記圧縮率指定受付手段が指定を受け付けた各オーディオ情報の圧縮率と、前記優先順位指定受付手段が受け付けた各オーディオ情報の優先順位とより、各オーディオ情報の圧縮符号化に各々適用することにより、前記記録対象受付手段が指定を受け付けた全てのオーディオ情報を記録媒体に記録することができるようになる、各オーディオ情報の圧縮率を、より優先順位の高いオーディオ情報については、より優先順位の低いオーディオ情報の圧縮符号化に適用される圧縮率以上、圧縮率の低い圧縮率がその圧縮符号化に適用され、かつ、少なくとも、優先順位の最も低いオーディオ情報の圧縮符号化に適用される圧縮率と優先順位の最も高いオーディオ情報の圧縮符号化に適用される圧縮率とが異なるように、前記圧縮符号化手段が対応する圧縮率のうちから選定する圧縮率算出手段と、前記ユーザ設定受付手段が指定を受け付けた各オーディオ情報を前記圧縮符号化手段に供給し、前記記録対象受付手段が指定を受け付けた各オーディオ情報を、各々当該オーディオ情報について前記圧縮率算出手段が算出した圧縮率で、前記圧縮符号化手段に圧縮符号化させ、圧縮符号化されたオーディオ情報を前記記録媒体に記録する記録制御手段とを備えたものである。
【００１３】
このようなオーディオ記録装置によれば、ユーザは記録を指定したオーディオ情報に記録品質に対する要望につき優劣がある場合には、その優先順位を定めるだけて、その優先順位に整合した記録品質で各オーディオ情報が記録されるように、記録する各オーディオ情報の圧縮率が操作される。したがって、このような場合において、ユーザが、自己の要望に応じて個々のオーディオ情報に圧縮率を設定する必要がなくなる。
【００１４】
【発明の実施の形態】
以下、本発明の実施形態について、ＣＤ−ＤＡディスクから楽曲（トラック）データを読み出し、圧縮符号化して、半導体記録素子を使用した過般型のメモリ装置に記録するオーディオ記録再生装置への適用を例にとり説明する。
図１に、本実施形態に係るオーディオ記録装再生置の構成を示す。
図示するように、オーディオ記録再生装置は、ＣＤ再生部１、出力セレクタ２、デジタルアナログコンバータ３、増幅回路４、スピーカ５、オーディオコーダ６、オーディオデコーダ７、制御部８、メモリ９、表示制御部１０、表示部１１、操作部インタフェース１２、操作部１３、外部メモリスロット１４を有している。また、ＣＤ再生部１には、ＣＤ−ＤＡディスク１５を脱着可能に装着することができ、ＣＤ再生部１は装着されたＣＤ−ＤＡディスク１５のデータを再生する。そして、外部メモリスロット１４には、半導体記録素子を使用した過般型のメモリ装置である外部メモリ装置１６が脱着可能に装着される。ここで、外部メモリ装置１６には、図示するように、圧縮符号化された楽曲データがファイル形式でオーディオデータファイル１６２として記録されると共に、ファイル形式で記録された各楽曲の管理情報を表す楽曲管理情報が楽曲管理情報ファイル１６１として記録される。また、各楽曲の楽曲管理情報としては、ユーザが設定した楽曲名その他のユーザ設定情報と、その楽曲の再生時間と、その楽曲のオーディオデータファイル１６２のファイル名などが記述される。
【００１５】
なお、本オーディオ記録再生装置は、ハードウエア的には、ＣＤドライバと外部メモリ装置インタフェースと、ＣＰＵや主記憶や外部記憶装置や表示装置や入力装置や音声出力装置などの一般的なコンピュータとしての構成を備えたコンピュータとして構成することもできる。そして、この場合には、オーディオコーダ６、オーディオデコーダ７、制御部８などを、ＣＰＵがプログラムを実行することによりコンピュータ上に具現化するプロセスとして実現するようにしてもよい。また、このようなプログラムは、たとえば、予めＣＤ−ＲＯＭなどから、ＣＤドライバを介して外部記録装置にインストールされ、必要に応じて主記憶にロードされて、ＣＰＵによって実行されるものであってよい。
【００１６】
さて、このようなオーディオ記録再生装置の構成において、通常のＣＤ−ＤＡディスク再生動作は以下のように行われる。
すなわち、制御部８は、ＣＤ再生部１にＣＤ−ＤＡディスク１５が装着されると、ＣＤ再生部１にＣＤ−ＤＡディスク１５のＴＯＣ（Ｔａｂｌｅ　Ｏｆ　Ｃｏｎｔｅｎｔｓ）情報の読み出しを指示し、ＴＯＣ情報を取得する。そして、表示部１１に、ＴＯＣ情報が示すＣＤ−ＤＡディスク１５に記録された楽曲（トラック）の数や、各楽曲の再生時間等を表示する。
【００１７】
そして、制御部８は、操作部インタフェース１２を介して、ユーザより操作部１３を介して再生モード（先頭トラックよりの楽曲順次再生や、楽曲ランダム再生や、指定トラックよりの楽曲順次再生など）の指定を伴うＣＤ再生指示を受け付けると、指示された再生モードに応じた再生シーケンスでＣＤ再生部１の再生動作を制御し、ＣＤ再生部１に各楽曲の再生動作を行わせると共に、出力セレクタ２にＣＤ再生部１からのオーディオデータを選択出力させる。制御部８の制御に従ってＣＤ再生部１はＣＤ−ＤＡディスク１５の制御部８から再生を指示された楽曲からオーディオデータを再生し、デジタルアナログコンバータ３は出力セレクタ２を介してＣＤ再生部１から入力するオーディオデータをアナログ信号に変換する。そして、変換されたアナログ信号は、増幅回路４によって、ユーザから操作部１３を介して指示されたボリューム値に応じて制御部８が設定した増幅率で増幅された後、スピーカ５から出力される。
【００１８】
さて、本オーディオ記録再生装置は、外部メモリスロット１４に装着された外部メモリ装置１６に記録された楽曲（オーディオデータファイル１６２）の再生も行う。次に、この外部メモリ装置１６に記録された楽曲データの再生動作について説明する。
【００１９】
制御部８は、操作部インタフェース１２を介して、ユーザより操作部１３を介して　外部メモリ装置１６への再生ソース切替を指示されると、外部メモリ装置１６より、外部メモリ装置１６に記録されている楽曲管理情報ファイル１６１を読み出して楽曲管理情報を取得し、取得した楽曲管理情報が示す外部メモリ装置１６に記録されている各オーディオデータファイル１６２に格納された各楽曲の楽曲管理情報の一覧を表示制御部１０を介して表示部１１に表示すると共に、ユーザより操作部１３を介して再生モード（楽曲管理情報登録楽曲順による先頭楽曲よりの楽曲順次再生や、楽曲ランダム再生や、前記楽曲順による指定楽曲よりの順次再生など）の指示を伴う外部メモリ再生指示を受け付ける。そして、指示された再生モードに応じた読み出しシーケンスで外部メモリ装置１６から再生すべき楽曲のオーディオデータファイル１６２を読み出し、読み出したファイルに格納されている圧縮符号化されたオーディオデータをオーディオデコーダ７に供給すると共に、出力セレクタ２にオーディオデコーダ７からのオーディオデータを選択出力させる。オーディオデコーダ７は、供給された圧縮符号化されたオーディオデータを復号して出力し、デジタルアナログコンバータ３は出力セレクタ２を介してオーディオデコーダ７から入力するオーディオデータをアナログ信号に変換する。そして、変換されたアナログ信号は、増幅回路４によって、ユーザから操作部１３を介して指示されたボリューム値に応じて制御部８が設定した増幅率で増幅された後、スピーカ５から出力される。
【００２０】
以下、このようなオーディオ記録再生装置における、ＣＤ−ＤＡディスク１５の楽曲（トラック）の外部メモリ装置１６への記録動作について説明する。
図２に、制御部８が行う記録制御処理の手順を示す。また、図３に、メモリ９上に配置された制御部８が記録制御処理において用いる記録楽曲テーブルの内容を示す。
図３に示すように、記録楽曲テーブルは、外部メモリ装置１６に記録する各楽曲（トラック）について、その楽曲のＣＤ−ＤＡディスク１５上のトラック番号と、当該楽曲の再生時間と、当該楽曲に対して設定された圧縮率（圧縮後ビットレートで表示）と、当該楽曲に対してユーザが設定した設定情報と、ユーザによって圧縮率が個別に設定されたことを表す個別設定フラグとの組を登録するテーブルである。
【００２１】
さて、図２に示すように記録制御処理において、制御部８は、処理を開始すると、ユーザからの操作部１３を介した記録要求の入力を監視する（ステップ２０２）。そして、記録要求の入力が発生したならば、記録楽曲テーブルを初期化する（ステップ２０４）。
【００２２】
そして、ＣＤ−ＤＡディスク１５が装着時に読み出しておいたＴＯＣ情報に基づいてＣＤ−ＤＡディスク１５に記録された楽曲のトラック番号と再生時間の一覧を入手し（ステップ２０４）、入手した楽曲のトラック番号と再生時間の一覧の表示を含めた記録楽曲設定受付画面を生成して、表示制御部１０を介して表示部１１に表示し（ステップ２０６）、ユーザより操作部１３を介して、外部メモリに記録する楽曲の圧縮符号化に共通して用いる圧縮率と、外部メモリに記録する楽曲の選択と、その楽曲の楽曲管理情報に含めるユーザ設定情報の入力を受け付ける（ステップ２１０）。本実施形態では、オーディオコーダ６、オーディオデコーダ７を、１７６ｋｂｐｓ、１４６ｋｂｐｓ、１３２ｋｂｐｓ、１０５ｋｂｐｓ、９４ｋｂｐｓ、６６ｋｂｐｓ、４７ｋｂｐｓ、３３ｋｂｐｓの８段階の圧縮後ビットレートの圧縮率による圧縮符号化に対応するものとしており、本ステップでは、この８段階の圧縮率のうちからの、任意の一つの圧縮率の選択を、圧縮後ビットレートの選択により受け付ける。
【００２３】
ここで、図４ａに、このような記録楽曲設定受付画面の一例を示す。
図示した記録楽曲設定受付画面では、ユーザは、プルダウンメニュー４０１を利用して外部メモリに記録する楽曲の圧縮符号化に共通して用いる圧縮率を指定することができる。また、ＣＤ楽曲表示エリア４０２に表示されたＣＤ−ＤＡディスク１５に記録された楽曲の一覧から楽曲を選択して、登録ボタン４０４を選択することにより、その楽曲を記録する楽曲として選択することができる。また、全てを選択ボタン４０５を選択することにより、ＣＤ−ＤＡディスク１５に記録された全ての楽曲を記録する楽曲として選択することができる。記録する楽曲として選択された楽曲番号は、順次、記録楽曲表示エリア４０２に追加され、記録楽曲表示エリアの楽曲番号の横のテキストボックス４０７に、図４ｂに示すように、その楽曲に対して設定するユーザ設定情報を入力することができる。また、記録楽曲表示エリアエリアへの楽曲番号の追加順、したがって記録楽曲表示エリアエリアの楽曲番号の表示順が、各楽曲の記録順序とされる。そして、ユーザは、この楽曲の記録順序を、ユーザより記録開始の指示を受け付けるための記録開始ボタン４０６を選択するまでは、記録楽曲表示エリアの楽曲番号の表示の順序をドラックアンドドロップにより記録楽曲表示エリア中で編集することにより変更することができる。
【００２４】
さて、図２に戻り、外部メモリに記録する楽曲の圧縮符号化に共通して用いる圧縮率と、外部メモリに記録する楽曲の選択と、その楽曲の楽曲管理情報に含めるユーザ設定情報の入力を受け付け、ユーザより記録開始が指示されたならば（ステップ２１１）、選択された各楽曲の楽曲番号と再生時間とユーザ設定情報の組を記録楽曲テーブルに、楽曲の記録順序に従った順序で登録する（ステップ２１２）。
【００２５】
そして、次に、外部メモリ装置１６にアクセスし、外部メモリ装置１６の空き容量を調べる（ステップ２１４）。外部メモリ装置１６は、たとえば、一般的なハードディスクなどと同様に、制御部８からブロック単位にデータ単位アクセスできる装置であり、この場合は、空き容量は未使用ブロック数×ブロック容量として求めることができる。
【００２６】
そして、次に、求めた空き容量と、ステップ２１０で受け付けた楽曲の圧縮符号化に共通して用いる圧縮率とより、外部メモリ装置１６に記録可能なオーディオデータの再生時間を求める（ステップ２１６）。この再生時間（秒）は、（外部メモリ装置１６の空き容量　−　Ａ）／（楽曲の圧縮符号化に共通して用いる圧縮率に対応する圧縮後ビットレート）として求まる。Ａは、オーディオデータの記録に伴い、楽曲管理情報やオーディオデータファイル１６２のファイル構造定義部分等の、圧縮符号化されたオーディオデータ以外のデータで消費される記憶容量であるが、これは１楽曲のオーディオデータ量に比べて極めて小さい値となる。したがって、Ａとしては予めマージンとして定めた固定値を用いるようにしてもよい。
【００２７】
外部メモリ装置１６に記録可能なオーディオデータの再生時間が求まったならば、次に、記録楽曲テーブルに登録された各楽曲の再生時間の総和を求め（ステップ２１８）、求めた再生時間の総和と、ステップ２１６で算出した外部メモリ装置１６に記録可能なオーディオデータの再生時間とを比較することにより、記録楽曲テーブルに登録された全ての楽曲が外部メモリ装置１６に記録可能かどうかを調べる（ステップ２２０）。そして、求めた再生時間の方が記録楽曲テーブルに登録された各楽曲の再生時間の総和より大きく、記録楽曲テーブルに登録された全ての楽曲が外部メモリ装置１６に記録可能であれば、記録楽曲テーブルに登録された各楽曲に対して、ステップ２１０で受け付けた楽曲の圧縮符号化に共通して用いる圧縮率を設定し（ステップ２２２、記録処理を起動し（ステップ２２４）、記録処理が終了したならば（ステップ２２６）、ステップ０２に戻り次の記録要求の入力を待つ。なお、ここで起動する記録処理については後に説明する。
【００２８】
一方、求めた再生時間の方が記録楽曲テーブルに登録された各楽曲の再生時間の総和より大きく、記録楽曲テーブルに登録された全ての楽曲が外部メモリ装置１６に記録可能でなければ（ステップ２２０）、記録楽曲テーブルに登録された全ての楽曲を外部メモリに記録可能な、各楽曲の圧縮符号化に共通して用いる圧縮率を算出する（ステップ２２８）。この圧縮率は、（記録楽曲テーブルに登録された各楽曲の再生時間の総和）≦（外部メモリ装置１６の空き容量　−　Ａ）／（圧縮後ビットレート）を満たす、オーディオコーダ６が対応する複数の圧縮率のうちの最低圧縮率の圧縮率（最大圧縮後ビットレートに対応する圧縮率）として求まる。
【００２９】
そして、もし、記録楽曲テーブルに登録された全ての楽曲を外部メモリに記録可能な、各楽曲の圧縮符号化に共通して用いる圧縮率が、オーディオコーダ６が対応する複数の圧縮率のなかに存在しなかった場合には（ステップ２３０）、適当なエラー表示を表示制御部１０を介して表示部１１に表示し（ステップ２４４）、ステップ２０２に戻り、次の記録要求の入力を待つ。
【００３０】
一方、記録楽曲テーブルに登録された全ての楽曲を外部メモリに記録可能な、各楽曲の圧縮符号化に共通して用いる圧縮率を算出することができたならば（ステップ２３０）、算出した圧縮率の表示を含む圧縮率提示画面を表示制御部１０を介して表示部１１に表示し（ステップ２３２）、算出した圧縮率をユーザに提示すると共に、ユーザから、算出した圧縮率による記録の指示か（ステップ２４０）、記録のキャンセルか（ステップ２３４）、楽曲毎の圧縮率の設定の指示か（ステップ２３６）、楽曲の優先順位の指定による楽曲毎の圧縮率の設定の指示（ステップ２３８）のいずれかを受け付ける。
【００３１】
ここで、図４ｃに、このような圧縮率提示画面の一例を示す。図示した圧縮率提示画面では、エリア４１０において、算出した圧縮率の表示と算出した圧縮率による記録の指示のボタン４１１による受付を行い、エリア４１２において、楽曲毎の圧縮率の設定の指示のボタン４１３による受付と、楽曲の優先順位の指定による楽曲毎の圧縮率の設定の指示のボタン４１４による受付を行い、ボタン４１５において記録のキャンセルの受付を行う。また、この圧縮率提示画面には、以後のユーザの記録する楽曲の選択や圧縮率の指定の判断の参考とできるように、ステップ２１８で算出した記録楽曲テーブルに登録された全楽曲の再生時間の総和と、ステップ２２８で算出した楽曲の圧縮符号化に共通して用いるユーザ指定の圧縮率によって外部メモリ装置１６に記録可能なオーディオデータの再生時間の表示１６を含めている。
【００３２】
さて、図２に戻り、算出した圧縮率による記録を指示されたならば（ステップ２４０）、記録楽曲テーブルに登録された各楽曲に対して、ステップ２２８で算出した楽曲の圧縮符号化に共通して用いる圧縮率を設定し（ステップ２４２）、記録処理を起動し（ステップ２２４）、記録処理が終了したならば（ステップ２２６）、ステップ２０２に戻り次の記録要求の入力を待つ。
【００３３】
一方、記録キャンセルが指示されたならば（ステップ２３４）、そのままステップ２０２に戻ることにより、ユーザが、再度記録要求を発行して、記録する楽曲の変更などを行うことを可能とする。
一方、楽曲毎の圧縮率の設定の指示を受け付けたならば（ステップ２３６）、後に詳述する楽曲毎圧縮率設定処理（ステップ２４６）を行った後に、記録処理を起動し（ステップ２２４）、記録処理が終了したならば（ステップ２２６９、ステップ２０２に戻り次の記録要求の入力を待つ。
【００３４】
また、楽曲の優先順位の指定による楽曲毎の圧縮率の設定の指示を受け付けたならば（ステップ２３８）、後に詳述する優先順位処理（ステップ２４８）を行った後に、記録処理を起動し（ステップ２２４）、記録処理が終了したならば（ステップ２２６）、ステップ２０２に戻り次の記録要求の入力を待つ。
【００３５】
以下、図２ステップ２４６で行う楽曲毎圧縮率設定処理について説明する。
図５に、楽曲毎圧縮率設定処理の手順を示す。
図示するようにこの処理では、まず、図２ステップ２２８で算出した圧縮率をディフォルト圧縮率に設定し（ステップ５０２）、記録楽曲テーブルの各楽曲の圧縮率をディフォルト圧縮率に設定する（ステップ５０４）。
そして、表示制御部１０を介して表示部１１に、記録楽曲個別圧縮率設定画面を表示し（ステップ５０６）、記録楽曲テーブルに登録された各楽曲のうちの圧縮率の設定を行う楽曲の指示と（ステップ５０８）、記録をキャンセルする楽曲の指示（ステップ５１０）と、記録指示（ステップ５１２）とを受け付ける。
【００３６】
図６ａに、この記録楽曲個別圧縮率設定画面の表示例を示す。
図示するように、この記録楽曲個別圧縮率設定画面は、記録楽曲テーブルに登録された各楽曲についてのトラック番号と再生時間の一覧６０１、一覧中の各楽曲の圧縮率の設定を受け付けるためのプルダウンメニュー６０２と、楽曲の記録対象からの削除の指示を受け付けるためのボタン６０３と、記録の開始の指示を受け付けるためのボタン６０４を有する。ここで、各楽曲のプルダウンメニュー６０２には、その楽曲の記録楽曲テーブルに設定された圧縮率を表示する。
【００３７】
さて、図５に戻り、以上のような記録楽曲個別圧縮率設定画面上で、いずれかの楽曲のプルダウンメニューの選択により、圧縮率を設定する楽曲の指定が成されると（ステップ５０８）、指定された楽曲について選択可能な圧縮率を求める（ステップ５１４）。指定された楽曲について選択可能な圧縮率は、記録楽曲テーブルに登録された楽曲のうち、指定された楽曲及び個別設定フラグが設定されている楽曲を除く、残りの全ての楽曲の再生時間の総和と最低圧縮後ビットレート３３ｋｂｐｓとを乗じた値Ｃ１と、記録楽曲テーブルに登録された楽曲のうちの個別設定フラグが設定されている各楽曲について求めた当該楽曲の再生時間と記録楽曲テーブルに設定された当該楽曲の圧縮率に対応する圧縮後ビットレートとを乗じた値Ｃ２の、個別設定フラグが設定されている全ての楽曲についての総和Ｃ３と、前記Ａとを、外部メモリ装置１６の空き容量Ｃｍから差し引いた値Ｃ４（＝Ｃｍ−Ｃ１−Ｃ３−Ａ）を、指定された楽曲の再生時間Ｔ１で除算して求めたビットレート（Ｃ４／Ｔ）以下の圧縮後ビットレートに対応する圧縮率として求まる。
【００３８】
そして、たとえば、図６ｂに示すように、プルダウンメニューに選択可能な圧縮率を、各圧縮率に対応する圧縮後ビットレートの表示によってユーザに提示し（ステップ５１６）、ユーザから、提示した圧縮率のなかからの圧縮率の選択を対応する圧縮後ビットレートの選択により受付け（ステップ５１８）、記録予約テーブルの指定された楽曲に対して選択された圧縮率と個別設定フラグを設定する（ステップ５２０）。
【００３９】
そして、次に、記録楽曲テーブルに登録された楽曲のうちの個別設定フラグが設定されている楽曲の圧縮率を、記録予約テーブルに登録された圧縮率固定として、記録予約テーブルに登録された全ての楽曲が外部メモリ装置１６に記録可能となる、記録予約テーブルに登録された個別設定フラグが設定されていない各楽曲の（当該個別設定フラグが設定されていない各楽曲について共通の）最低圧縮率をディフォルト圧縮率として求める（ステップ５２４）。この圧縮率は、記録楽曲テーブルに登録された楽曲のうちの個別設定フラグが設定されている楽曲の再生時間と記録楽曲テーブルに設定された当該楽曲の圧縮率の圧縮後ビットレートとを乗じた値Ｃ２の個別設定フラグが設定されている全ての楽曲についての総和Ｃ３と、前記Ａとを、外部メモリ装置１６の空き容量Ｃｍから差し引いた値Ｃ４（＝Ｃｍ−Ｃ１−Ｃ３）を、記録予約テーブルに登録された個別設定フラグが設定されていない楽曲再生時間の総和で除算して求まる値以下の圧縮後ビットレートのうちの最も大きい圧縮後ビットレートに対応する圧縮率として求まる。
【００４０】
このようにして新たなディフォルト圧縮率が求まったならば、記録楽曲テーブルの個別設定フラグが設定されていない各楽曲の圧縮率をディフォルト圧縮率に更新する（ステップ５２６）。そして、ステップ５０８に戻り以上の処理を繰り返す。
【００４１】
この結果、図６ｂに示すようなプルダウンメニューを用いて、ある楽曲の圧縮率が、その時点のディフォルト圧縮率からユーザによって変更されると、記録楽曲個別圧縮率設定画面は、図６ｃに示すように、ユーザによって圧縮率が指定された楽曲のプルダウンメニュー５０２にユーザが選択した圧縮率が表示されると共に、まだ圧縮率の変更操作が行われていない他の楽曲のプルダウンメニュー６０２の表示も、その圧縮率でその楽曲を記録すれば、ユーザが圧縮率を変更した楽曲についてはユーザが設定した圧縮率で記録しつつ、かつ、記録楽曲テーブルに登録された全ての楽曲を外部メモリ装置１６に記録可能となる最低圧縮率に更新されることになる。したがって、ユーザは、このような表示画面より他の楽曲の圧縮率との兼ね合いを考慮しながら、各楽曲の圧縮率を設定していくことが可能となる。
【００４２】
さて、記録楽曲個別圧縮率設定画面において、記録をキャンセルする楽曲の指示を受け付けた場合には（ステップ５１０）、記録予約テーブルから指定された楽曲を削除し（ステップ５２２）、前述したステップ５２４に進む。
この結果、図６ｄに示す記録楽曲個別圧縮率設定画面において楽曲の選択により削除する楽曲の指定と削除が指示されると、記録楽曲個別圧縮率設定画面は、図６ｅに示すように、削除された楽曲が表示されなくなると共に、まだステップ５１４〜５１８の処理による圧縮率の変更操作が行われていない各楽曲のプルダウンメニュー６０２の表示が、ユーザ操作に応じて削除した楽曲を記録しないこととして、その圧縮率でその楽曲を記録すれば、ユーザが圧縮率を変更した楽曲についてはユーザが設定した圧縮率で記録しつつ、かつ、記録楽曲テーブルに登録された全ての楽曲を外部メモリ装置１６に記録可能となる最低圧縮率に更新されることになる。
【００４３】
さて、最後に、図６ａに示す記録楽曲個別圧縮率設定画面において、記録開始が指示された場合には（ステップ５１２）、処理を終了し、図２のステップ２２４に進み記録処理を起動する。
次に、図２ステップ２４８で行う優先順位処理について説明する。
図７に、優先順位処理の手順を示す。
図示するように、この処理ではまず、記録楽曲優先順位設定受付画面を表示制御部１０を介して表示部１１に表示し（ステップ７０２）、記録楽曲テーブルに登録された楽曲の優先順位の設定の記録開始の指示を受け付ける（ステップ７０４）。
【００４４】
図８ａは、記録楽曲優先順位設定受付画面の一例を示したものであり、エリア８０１に記録楽曲テーブルに登録された楽曲と再生時間を、記録楽曲テーブルへの登録順すなわち記録順に表示し、エリア８０２において、楽曲のドラッグ操作による優先順位の設定を受け付ける。すなわち、エリア８０２に初期状態では各楽曲の一覧を記録順に表示し、図８ａのエリア８０２中に示すようなユーザの楽曲表示のドラッグ操作に応じて、図８ｂに示すように楽曲の並び順を入れ替える。そして、ボタン８０３によって記録開始が指示されたときに、エリアにおける並び順を楽曲の優先順位として受け付ける。
【００４５】
さて、各楽曲の優先順位を受け付けたならば、次に、記録楽曲テーブルに登録された楽曲を、受け付けた優先順位に従って３つのグループに分割する。すなわち、優先順位の高いものよりｍ／３個の楽曲を抽出して第１のグループとし、第１のグループの次に優先順位の高いｍ／３個の楽曲を第２グループとし、残りの楽曲を第３のグループとする（ステップ７０６）。
【００４６】
そして、記録予約テーブルの第１グループの各楽曲に対して図２ステップ２１０で受け付けた設定圧縮率を設定し（ステップ７０８）、記録予約テーブルの第２グループの各楽曲に対して図２ステップ２１０で受け付けた設定圧縮率の次に圧縮率の高い圧縮率を設定し（ステップ７１０）、記録予約テーブルの第３グループの各楽曲に対して図２ステップ２１０で受け付けた設定圧縮率の次の次に圧縮率の高い圧縮率を設定する（ステップ７１２）。
【００４７】
そして、記録楽曲テーブルに登録された各楽曲の再生時間と記録楽曲テーブルに設定された当該楽曲の圧縮率の圧縮後ビットレートとを乗じた値の、全ての楽曲についての総和に前記Ａを足した値と、外部メモリ装置１６の空き容量を比較することにより、記録楽曲テーブルに登録された全ての楽曲を記録楽曲テーブルに設定された圧縮率で外部メモリ装置１６に記録可能かどうかを調べ（ステップ７１４）、記録可能であれば、処理を終了し、図２のステップ２２４に進み記録処理を起動する。
【００４８】
一方、外部メモリ装置１６に記録可能でなければ（ステップ７１４９、記録楽曲テーブルの各楽曲の圧縮率を１段階圧縮率の高い圧縮率に変更する処理（ステップ７１６）を、ステップ７１４において、記録楽曲テーブルに登録された全ての楽曲を記録楽曲テーブルに設定された圧縮率で外部メモリ装置１６に記録可能と判定されるまで繰り返し、記録可能となったならば、処理を終了し、図２のステップ２２４に進み記録処理を起動する。なお、ステップ７１６では、記録楽曲テーブルに最高圧縮率の圧縮率が登録された楽曲については、その圧縮率は変更しない。
【００４９】
以上、優先順位処理について説明した。なお、以上では、記録する楽曲を３グループに分割したが、この分割数は、外部メモリ装置１６に記録する楽曲の圧縮率の差として許容できる範囲に応じて任意の数を設定するようにして良い。
さて、以下では、図２のステップ２２４で起動する記録処理について説明する。
図８に記録処理の手順を示す。
図示するように、この処理では、記録楽曲テーブルに登録された各楽曲について順次（ステップ９０２、９１４）、以下の処理を行う。
すなわち、記録楽曲テーブルに登録された、その楽曲の圧縮率をオーディオコーダ６に設定し（ステップ９０４）、ＣＤアクセス処理部にその楽曲のオーディオデータを再生させると共に、オーディオコーダ６に再生されたオーディオデータの圧縮符号化を行わせ（ステップ９０６）、オーディオコーダ６が圧縮符号化したオーディオデータを外部メモリ装置１６に、適当なファイル名のオーディオデータファイル１６２として記録していく（ステップ９０８）。そして、その楽曲のオーディオデータの外部メモリ装置１６への記録が終了したならば（ステップ９１０）、オーディオデータファイル１６２を閉じ、外部メモリ装置１６に記録されている楽曲管理情報ファイル１６１に、記録予約テーブルに設定されている、その楽曲の再生時間及びユーザ設定情報と、その楽曲のオーディオデータを格納したオーディオデータファイル１６２のファイル名を追加する（ステップ９１２）。
【００５０】
以上、本発明の実施形態について説明した。
ところで、以上の実施形態では、ＣＤ−ＤＡディスク１５から楽曲を読み出し、圧縮符号化して外部メモリ装置１６に記録する場合を例にとり説明したが、楽曲を読み出すソースとなる記録媒体は、記録されている各楽曲の再生時間またはデータ量などの再生時間を求めることのできる情報を取得できる記録媒体であれば、ＣＤ−ＤＡディスク１５以外の任意の記録媒体であってよく、また、楽曲を記録するターゲットとなる記録媒体も空き容量を取得できる記録媒体であれば外部メモリ装置１６以外の任意の記録媒体、記録装置であってよい。
【００５１】
また、以上の実施形態は、ＣＤ−ＤＡディスク１５などの記録媒体から記録する楽曲を読み出すのではなく、放送やインターネットを介して記録する楽曲を取得するオーディオ記録装置にも同様に適用可能である。
また、以上の実施形態では記録するオーディオ情報を楽曲として説明したが、記録するオーディオ情報は楽曲に限らず、朗読、落後その他の任意の種類のオーディオ情報であってよい。
また、たとえば、楽曲に代えて放送番組を単位として、放送番組を受信して記録を行うようにし、この記録する各番組の再生時間を、それが取得可能な放送については当該放送のＥＰＧ（電子番組ガイド）データから取得するようにしてよい。
【００５２】
【発明の効果】
以上のように、本発明によれば、オーディオ情報を圧縮符号化して記録媒体に記録するオーディオ記録装置において、ユーザの、オーディオ情報の記録に用いる圧縮率の設定を支援することができる。
【図面の簡単な説明】
【図１】本発明の実施形態に係るオーディオ記録再生装置の構成を示すブロック図である。
【図２】本発明の実施形態に係る記録処理の手順を示すフローチャートである。
【図３】本発明の実施形態の記録処理において用いる記録楽曲テーブルの内容を示す図である。
【図４】本発明の実施形態において表示する記録楽曲設定受付画面の表示例を示す図である。
【図５】本発明の実施形態に係る楽曲毎圧縮率設定処理の手順を示すフローチャートである。
【図６】本発明の実施形態において表示する記録楽曲個別圧縮率設定画面の表示例を示す図である。
【図７】本発明の実施形態に係る楽曲毎圧縮率設定処理の手順を示すフローチャートである。
【図８】本発明の実施形態において表示する記録楽曲優先順位設定受付画面の表示例を示す図である。
【図９】本発明の実施形態に係る記録処理の手順を示すフローチャートである。
【符号の説明】
１：ＣＤ再生部、２：出力セレクタ、３：デジタルアナログコンバータ、４：増幅回路、５：スピーカ、６：オーディオコーダ、７：オーディオデコーダ、８：制御部、９：メモリ、１０：表示制御部、１１：表示部、１２：操作部インタフェース、１３：操作部、１４：外部メモリスロット、１５：ＣＤ−ＤＡディスク、１６：外部メモリ装置、１６１：楽曲管理情報ファイル、１６２：オーディオデータファイル。
【図１】
2004038067.tif 000003
【図２】
2004038067.tif 000004
【図３】
2004038067.tif 000005
【図４】
2004038067.tif 000006
【図５】
2004038067.tif 000007
【図６】
2004038067.tif 000008
【図７】
2004038067.tif 000009
【図８】
2004038067.tif 000010
【図９】
2004038067.tif 000011